(57)【特許請求の範囲】
【請求項１】
ハウジングと、
前記ハウジング内に収容される拡張エラストマーシールであるセプタムと、
前記ハウジングと前記セプタムとを通り抜ける針と、
前記針が通り抜けることにより前記セプタムが拡張することで、前記セプタムの受入れ部と係合する針シールドとを備えたカテーテル装置において、
針がハウジングから引き抜かれる時に、前記針シールドは、前記針の先端を前記針シールド内に留めておき、かつ、前記セプタムが収縮することにより前記セプタムから外れるように形成されていることを特徴とするカテーテル装置。
【請求項２】
前記受入れ部は前記針シールドの爪部を収容するように形成した１つ以上の凹所を備えていることを特徴とする請求項１記載のカテーテル装置。
【請求項３】
前記セプタムはセプタム収納部を備え、前記受入れ部が前記セプタム収納部の一部であることを特徴とする請求項１記載のカテーテル装置。
【請求項４】
前記受入れ部は前記セプタムの開口部であることを特徴とする請求項１記載のカテーテル装置。
【請求項５】
前記受入れ部は前記針シールドの先端と係合する連結部であることを特徴とする請求項１記載のカテーテル装置。
【請求項６】
前記受入れ部は平面であることを特徴とする請求項１記載のカテーテル装置。
【請求項７】
前記針シールドの先端がセプタムと係合することを特徴とする請求項１記載のカテーテル装置。
【請求項８】
前記針シールドは前記針の先端をシールド内に留めておくように形成される障壁を備えていることを特徴とする請求項１乃至７のいずれか1項記載のカテーテル装置。
【発明の詳細な説明】
【技術分野】
【０００１】
本発明は、カテーテル及び誘導針アセンブリ（組立品）に関するものである。医学において、当該カテーテル及び誘導針アセンブリ（組立品）は、患者の脈管系に正確にカテーテルを取り付けるために使用される。いったん所定の位置にあれば、静脈内(すなわち「ＩＶ」)カテーテルは、生理食塩水、医薬合成物と栄養組成物(完全非経口栄養すなわち「ＴＰＮ」など)のすべてまたはそれらのいずれかなどの流体を、当該処置を必要としている患者に注入するために使用されることがある。カテーテルにより、さらに循環系からの流体の除去及び患者の脈管系内の状態の監視が可能となる。
【背景技術】
【０００２】
一般的に使用されるカテーテルの一つの型は、末梢静脈カテーテルである。この短い、静脈内留置カテーテルは、多くの場合、患者への投薬、水分補給のための流体、ならびに場合によっては、非経口的栄養のための入口経路を提供するために使用される。当該カテーテルは通例、長さが短く、長さ約０．５インチから３インチであり、通例可撓性のある生体適合性材料で作られている。場合によっては、これらのカテーテルは、いったん体内に入った時点で、そのカテーテルの位置を追跡することができるようにする硫酸バリウムなどの放射線不透過性化合物をさらに含むこともある。
【０００３】
末梢ＩＶカテーテルは、多くの場合末梢部の鋭い先端のある誘導針上に取り付けられた「オーバー・ザ・ニードル（over-the-needle）」カテーテルとして提供される。この鋭い先端は、多くの場合皮膚への貫入中、患者の皮膚から離れた位置に置かれることを目的とする斜角面を含む。少なくともカテーテルの末梢部の先端を含むカテーテルの一部は、患者の循環系へのカテーテルの挿入中にカテーテルがはがれるのを防ぐために針の外側をしっかりとつかんでいる。当該カテーテルの取り付けのためのいくつかの技術が、技術的に実行されているが、多くは通例、少なくとも針の一部を標的血管に挿入し、その後針上を所定の位置にカテーテルを摺動させる段階を含む。
【０００４】
医療従事者はその次に、血管内のカテーテルの適切な配置を確認しようと試みる。血管内のカテーテルの適切な配置を確認するための手段を含むカテーテル及び誘導針アセンブリ（組立品）が提供されてきた。当該手段の一つは、取り付け中に臨床医が視認可能な「フラッシュバック(逆血)チャンバー」である。このチャンバーは、血管が挿入されると、少量の血液を中に入れ、よってチャンバーの中の血液の観察が血管への挿入成功の指標となることができる。カテーテル内に収納される領域の針の鋭い末端から離れたところに誘導針の切れ込みを備えることによって、フラッシュバックの通知がまた行なわれる。そこで血液のフラッシュバックは、カテーテルが少なくともある程度透明であれば、その切れ込み及びその近くの領域でカテーテル内において観察される。
【０００５】
いったん針の配置が確認されれば、使用者は血管への流れを一時的に閉鎖し、カテーテルを所定の位置に残して針を取り外し、流体除去、投入のため、またはカテーテルを密閉するための装置をカテーテルに付ける。多くの配置場所があることで、目標の血管を容易に閉鎖できないため、この手順は実際面で幾分困難である。さらに、当該閉鎖が達成された場合でも、それは不完全であり、したがってカテーテルから血液が漏れ、それに従事する医療関係者を危険にさらす結果となる。
【０００６】
「針シールド」または針シールド装置はまた、カテーテルと共に使用されてきた。これらの装置は、針が患者から引き抜かれると、その針先が針シールド内に閉じ込められるまたは取り込まれるように形成される。これらの針シールド装置の目的は、針先が看護婦、医師などに誤って注射または突き刺されないように、安全な場所に針の先を収納することである。
【発明の開示】
【発明が解決しようとする課題】
【０００７】
カテーテル及び誘導針アセンブリ（組立品）は、したがって、誘導針の除去時の流体の流出を防ぐために、さまざまな密封材または「セプタ(セプタムの複数形)」を提供する技術において提供されてきている。これらの構造は通例、漏れを防ぐため保管及び使用中に針の形状にぴったりと一致し、その後針の除去と同時に密封するよう設計されたエラストマーのプレートである。これらのセプタは、血液の不要な漏出を防ぐ目的で針の除去中に切れ込み及び針先を封入するように、フラッシュバックの切れ込みのある針のなかで延長される。このセプタの延長によって、針に生じる摩擦量、針の除去に必要な努力量、及びその製品を損なう可能性が増加する。これを克服するために、使用されている針の内径よりわずかに大きい内径である内部空洞を含むセプタが開発されてきている。この結果、この空洞の外側の領域でのみセプタムと接し、セプタムと接している表面積を減らす針がもたらされる。
【０００８】
しかしながら、カテーテル装置から針の分離が早すぎないことを確実にするために、針シールドと係合するまたは連結する新種のセプタが必要である。これを考慮し、当該装置は本実施形態に開示される。
【課題を解決するための手段】
【０００９】
本発明は、当技術分野で周知の制約のいくつかを克服するために設計されるカテーテル装置である。カテーテル装置には、鋭い、または比較的鋭い先端のある針が含まれる。針は、カテーテル装置を通り抜けるように設計される。カテーテル装置にはまた、ハウジング内にぴったり合うセプタムが含まれる。セプタムは、エラストマーまたはその他の類似した物質でできており、その収納部を密封するように設計される。
【００１０】
カテーテル装置にはまた、針シールドが含まれる。示されるその針シールドは、患者から引き抜かれた後、針先を取り込むまたは留めておくように設計される保護スリーブを備えている。針シールドは、セプタムと係合するように設計される。そのセプタムが受入れ部を備えることによって、当該係合は達成される。通例、その受入れ部は針シールドに接し、摩擦によって、適切な場所に針シールドを留めておく。
【００１１】
受入れ部が、針シールドの先端が挿入される開口部を備えている実施形態もある。針シールドと受入れ部間の係合を補強するように設計される爪部と凹所の両方またはそのいずれかもまた追加される。また受入れ部分が、セプタムに向かって内側に拡張し、針シールドの一部と係合するまたは接するように設計されるセプタム収納部の一区分または一部になる実施形態もある。受入れ部がセプタムに加えられた連結部であるさらに進んだ実施形態が設計される。なおさらに進んだ実施形態では、受入れ部がセプタムの表面で構成されることがある。
【００１２】
針シールドは、針がハウジングから引き抜かれる場合、針シールドがセプタムから離れるようにさらに設計される。さらに具体的には、針がハウジングから引き抜かれる場合、針シールド及び針が適切に廃棄されるように、針シールドはセプタムから分離する。
【発明を実施するための最良の形態】
【００１３】
本発明の上記及び他の特徴や利点を得る方法を容易に理解するためには、添付図面に示す特定の実施形態を参照することにより、上記で簡単に説明された本発明のさらに詳細な説明がなされる。これらの図面は本発明の典型的な実施形態を示すものにすぎず、したがって、本発明の範囲を限定するものと考えるべきではないという理解の下、添付図面を用いて、本発明をさらに具体的かつ詳細に描写して説明する。
【００１４】
本発明の好適な実施形態は、図面を参照することにより、最もよく理解される。図面中、同じ部分が同じ番号で全部指定される。本発明の要素は、概説しかつ図面に示すように、多様な異なる形態で配置及び設計することができる。したがって、本発明の実施形態に関する詳細な以下の説明は、図１Ａから７Ｄに示されるとおり、特許請求の範囲に記載されている本発明の範囲を限定するものではなく、本発明の好適な実施形態を代表しているに過ぎない。
【００１５】
図1Ａに関しては、本実施形態によるカテーテル装置１０の断面図が説明されている。カテーテル装置１０は、鋭い、または比較的鋭い先端１８のある針１４が含まれる。当業者に周知のように、カテーテル、点滴などを患者に始めて導入する手段として、針１４及び針の先端１８は、針１４が患者の血管に注射されるように設計されている。
【００１６】
カテーテル装置１０にはまた、ハウジング２６内にぴったりと合うセプタム２２も含まれる。当技術分野で周知のように、セプタム２２は、エラストマーまたはその他の材料でできており、ハウジング２６を密封するように設計される。したがって、患者の血液のいくらかが注射中に漏出し始める場合、セプタム２２はカテーテル装置１０を密封または塞ぎ、血液がセプタム２２を流れ去るのを防ぐ。
【００１７】
図１Ａに示すように、ハウジング２６は、セプタム２２と係合し、留めておくように設計される。このハウジング２６がカテーテルの収納部、すなわち、カテーテル装置１０の外壁である実施形態もある。 勿論、ハウジング２６がセプタムの収納部、すなわち、セプタム２２を留めておくように特に設計される壁または筐体である実施形態も構成される。ハウジング２６が別の種類のハウジングである実施形態もまた作られる。
【００１８】
カテーテル装置１０にはまた、針シールド２８も含まれる。当技術分野で周知のように、「針シールド」は、患者に注射された後、針の先端１８を収納または留めておくように特に設計される装置である。より具体的には、針の先端１８が患者に注射された後、点滴またはカテーテルが患者の血管内に置かれるように、針１４は引き抜かれる。針１４が患者に注射されたので、針１４は患者に存在する血液媒介病原体（例えば、ＨＩＶウィルス、肝炎など)で汚染される可能性がある。したがって、いったん針の先端１８がハウジング２６から引き抜かれれば、針の先端１８は針シールド２８内に留められまたは取り込まれ、それによって汚染された針が臨床医などを誤って注射または突き刺すことを防ぐ。
【００１９】
図1Aに示される針シールド２８には、患者から引きぬかれた後、針の先端１８を取り込むように設計される保護スリーブが含まれる(当該取り込みは、図１Ｂと併せて、より詳細に説明される。)。しかしながら、当該描写は、制限するものと解釈されるものではない。当業者は、針の先端１８を留めておくまたは取り込むことができるいかなる装置も針シールド２８として使用できることを理解できるだろう。
【００２０】
図１Ａに示されるように、針シールド２８は、セプタム２２と係合するよう設計される。当該係合は、セプタム２２が受入れ部３４を備えることによって達成される。用語「受入れ部」３４は、ここでは、針シールド２８の一部を受けるまたは係合するように設計されるセプタム２２の一部または一区分であるという意味で使用される。通例、受入れ部３４は、針シールド２８と接し、摩擦によって、適切な位置に針シールド２８を留めておく。
【００２１】
図１Ａに示される実施形態において、受入れ部３４は、針シールド２８の先端３８が挿入される開口部３４aを備える。いったん挿入されれば、摩擦が適切な位置に針シールド２８を留めておく(力を示す矢印３６によって示されるとおり)。針シールド２８及び受入れ部３４の間でのさらなる係合については、１つ以上の爪部４２が先端３８に加えられる。同様に、爪部４２を受けるような大きさで設計される１つ以上の凹所４０もまた、受入れ部３４に加えられる(当該爪部４２及び凹所４０は、図１Ｂ及び１Ｃに、より明確に示される。)。勿論、針シールド２８を受入れ部３４に係合させるその他の方法及び仕組みもまた用いられる。
【００２２】
図１Ａに示される実施形態において、セプタム２２に加えられた２つの受入れ部３４がある。これら２つの受入れ部３４は、突出部４８によって分離される。一般に、突出部４８は、針１４がセプタム２２を通り抜けられるとき、針１４が突出部４８のすべてまたは一部を通り抜けるように、セプタム２２のほぼ真ん中に位置する。
【００２３】
図１Ａに示されるように、針１４がセプタム２２及び突出部４８を通り抜けられるとき、針１４はセプタム２２を拡張させる。同様に、セプタム２２のこの拡張は、受入れ部３４または開口部３４ａ及び針シールド２８との間の係合を、よりぴったりとする、より強くするとの両方またはそのいずれかにするように、受入れ部３４または開口部３４ａの大きさを縮小する。針シールド２８を適切な位置に係合するのは、針シールド２８及び受入れ部３４または開口部３４ａとの間のこのぴったりとした係合である。
【００２４】
図１Ｂに関しては、図１Ａのカテーテル装置１０の断面図が説明される。しかしながら、図１Ａに示される状況と異なり、図１Ｂは、針１４がセプタム２２及びハウジング２６から引き抜かれた後のカテーテル装置１０を示す(動きを示す矢印によって説明されるとおり)。
【００２５】
上述のとおり、針１４がハウジング２６から引き抜かれると、針先１８は針シールド２８内に取り込まれるまたは留められる。当技術分野で周知のように、針先１８がセプタム２２に再挿入されるのを防ぐように設計される保持部材60を使用することによって、この取り込みは達成される。同様に、針１４上のより太い部分６２が針シールド２８の壁に接し、針先１８が針シールド２８から引き抜けられることを防ぐ。
【００２６】
図１Ｂに示されるように、いったん針先１８が突出部４８から引き抜かれると、針１４がセプタム２２に対して外に向かってもはや押し出してはいないという事実によって、セプタム２２は収縮する。同様に、このセプタム２２の収縮は、開口部３４ａの大きさが増え、セプタムの突出部４８が針シールド２８の一部にもはや接触しないことを意味する。
【００２７】
図１Ｃに関しては、針シールド２８がセプタム２２から分離された本実施形態のカテーテル装置１０が示される。具体的には、上記図１Ｂで説明されるように、針先１８が引き抜かれるので、セプタム２２(及びより詳細には受入れ部３４)は、もはや針シールド２８と係合しない。したがって、使用者が針１４を矢印５８の方向に引き続ける場合、針シールド２８はセプタム２２から分離する。いったん針１４が引き抜かれ、針シールド２８が分離すると、ハウジング２６及びセプタム２２は、その後点滴システム、カテーテル・システムなどの一部となる。
【００２８】
図２に関しては、別の実施形態であるカテーテル装置２１０が説明される。カテーテル装置２１０は、上記図１Ａから１Ｃに示されるカテーテル装置１０と類似している。したがって、簡潔にする目的で、上述の説明は繰り返さない。
【００２９】
当業者であれば、図１Ａから１Ｃに示されるカテーテル装置１０と図2に示されるカテーテル装置２１０の間の違いは、爪部及び凹所の形状または相対的配置であることが理解できるであろう。具体的には、図１Ａから１Ｃに示されるカテーテル１０において、爪部４２及び凹所４０は、両方とも内側に、すなわちセプタム２２の中心の方に向いている。しかしながら、図２に示されるカテーテル２１０において、爪部２４２及び凹所２４０は、外側に、すなわちハウジング２２６の方に向いている。爪部２４２または凹所２４０の位置または形状のこの変化が、セプタム２２及び針シールド２８との間により大きな相互作用または係合を提供するという点において望ましい実施形態もある。勿論、当業者であれば、爪部２４２または凹所２４０の両方またはそのいずれかのその他の形状、位置付けまたは相対的配置もまた用いられることを理解できるであろう。
【００３０】
図３に関しては、さらなる実施形態のカテーテル装置３１０が説明される。さらにまた、カテーテル装置３１０は、上記のカテーテル装置１０、２１０の実施形態に類似している。実際に、カテーテル装置３１０及び上記のカテーテル装置１０、２１０との間の違いは、カテーテル装置３１０においては、セプタム２２を針シールド２８に留めるまたは係合するために、爪部も凹所も使用されないということである。むしろ、セプタム２２と針シールド２８との係合は、セプタム２２の受入れ部３４と針シールド２８の先端３８の間のみで生じる。
【００３１】
実施形態のなかには、爪部または凹所がないカテーテル装置３１０があるという事実が好都合であることもある。例えば、カテーテル装置３１０に爪部または凹所がないことが、製造工程を簡略化することと、カテーテル装置３１０を生産することに関連するコストを削減することの両方またはそのいずれかとなることがある。したがって、コストと製造上の困難に関心のある製造業者は、上に開示される装置１０、２１0よりむしろカテーテル装置３１０の製造または販売を選択するかもしれない。
【００３２】
図４Ａに関しては、本実施形態による追加のカテーテル装置４１０が説明される。さらにまた、カテーテル装置４１０は、上に開示されるカテーテル装置１０、２１０、３１０に類似している。図４Ａに示されるとおり、カテーテル装置４１０には、ハウジング４２６内に入れられるセプタム４２２が含まれる。しかしながら、前述の実施形態とは異なり、セプタム４２２には、セプタム４２２のその他の部分を取り囲むセプタム収納部４２４が含まれる。セプタム収納部４２４は、ハウジング４２６と係合し、セプタム４２２を適切な位置に留めておくように設計される。セプタム収納部４２４もまた、外側のハウジング４２６と係合する。
【００３３】
当技術分野で周知のように、針１４は、セプタム４２２を通り抜けられる。セプタム４２２にはまた、受入れ部４３４が含まれる。しかしながら、前述の実施形態とは異なり、受入れ部４３４は、セプタム４２２の開口部ではない。むしろ、図４Ａに示される実施形態において、受入れ部４３４は、セプタム収納部４２４の一部４３４ａである。さらに具体的には、受入れ部４３４は、セプタム４２２に向かって内側に拡がる一部４３４ａであり、針シールド４２８、すなわち先端４３８、の一部と係合するまたは接するように設計される。
【００３４】
受入れ部４３４及び針シールド４２８の間の係合が、ここで説明される。具体的に言えば、針シールド４２８には、セプタム４２２の中心から離れて外側に拡がる先端４３８が含まれる。この外側への拡がりは、先端４３８が受入れ部４３４に接することを意味する。当該接触は、針シールド４２８の動きを妨げ、針シールド４２８を適切な位置に留めておく。
【００３５】
図４Ｂに関しては、針１４が針シールド４２８の中に引き抜かれた、すなわち矢印５８によって示される方向に引き抜かれた後のカテーテル装置４１０が説明される。この図を見て分かるように、いったん針１４が引き抜かれれば、針１４はもはや先端４３８で外に向かって押されて動くことはない。同様に、針１４のこの除去は、先端４３８が受入れ部４３４を摺動するように、先端４３８を内側に収縮させる。
【００３６】
図４Ｃに関しては、先端４３８が受入れ部４３４を摺動した後のカテーテル装置４１０が説明される。具体的に言えば、いったん当該移動が起こると、針シールド４２８をハウジング４２６に連結する十分な力はもはやない。したがって、臨床医が針１４を適切に廃棄し、カテーテル装置４１０を使用することができるように、針シールド４２８はこのように除去される。
【００３７】
図５Ａ及び５Ｂに関しては、さらなる実施形態であるカテーテル装置５１０が説明される。カテーテル装置５１０は、本発明者によって共同発明され、本出願の譲受人によって所有される「一体型低抵抗セプタム」と題する特許出願に開示される実施形態に類似している。この出願は、参照することにより、本明細書に組み込まれる。
【００３８】
カテーテル装置５１０は上記の実施形態に類似している。具体的に言えば、カテーテル装置５１０は、針１４が装置５１０を通り抜けられるように設計される。カテーテル装置５１０にはまた、セプタム５２２及び針シールド５２８が含まれる。
【００３９】
これまでの実施形態と同様に、セプタム５２２は針シールド５２８と係合するように設計される。したがって、セプタム５２２には、受入れ部５３４が含まれる。この場合には、受入れ部５３４は、針シールド５２８の先端５３８と係合するように設計される1つ以上の連結部５３４ａを含む(図5Bに示されるとおり)。
【００４０】
しかしながら、図５Ｂに示されるとおり、カテーテル装置５１０は、針１４が針シールド５２８の中に引き抜かれる、すなわち矢印５８の方向に引き抜かれると、その後爪部５３４ａが先端５３８から外れ、針シールド５２８がセプタム５２２から分離するように設計される。
【００４１】
図６Ａ及び６Ｂに関しては、さらなる実施形態が説明される。具体的に言えば、これらの図は、上記のカテーテル装置１０、２１０、３１０、４１０、５１０に類似するカテーテル装置６１０を開示する。このように、カテーテル装置６１０には、セプタム６２２を取り囲むまたは収納するハウジング６２６が含まれる。カテーテル装置６１０もまた、針１４がセプタム６２２及びカテーテル装置６１０を通り抜けられるように設計される。
【００４２】
カテーテル装置６１０にはまた、針１４(さらに具体的には、針先１８)を留めるように設計される針シールド６２８が含まれる。カテーテル装置６１０はまた、セプタム６２２が針シールド６２８と係合するように設計される。セプタム６２２には、ハウジング６２６の先端６３８と係合するよう設計される受入れ部６３４が含まれる。図６Ａ及び６Ｂに示される実施形態において、この受入れ部６４３は、セプタム６２２の基部上の平面である。したがって、針１４がセプタム６２２を通り抜けられると、針１４は、受入れ部６３４が針シールド６２８の先端６３８と係合するまたは接するように、セプタム６２２を拡張させる(図６Ａに説明されるとおり)。
【００４３】
しかしながら、図６Ｂに示されるとおり、針１４が針シールド６２８に引き抜かれる(矢印５８の方向へ)と、針１４は、もはやセプタム６２２に接触することはない。この接触がないということは、針１４がセプタム６２２を拡張することができないことを意味し、そのためセプタム６２２は収縮することになる。同様に、セプタム６２２のこの収縮は、受入れ部６３４が針シールド６２８または先端６３８ともはや接触しないことを意味する。結果として、針シールド６２８は、針が適切に廃棄されるように、カテーテル装置６１０から引き抜かれる。
【００４４】
図７Ａから７Ｄに関しては、さらなる実施形態が描かれる。具体的に言えば、これらの図は、上記のカテーテル装置１０、２１０、３１０、４１０、５１０、６１０に類似するカテーテル装置７１０を開示している。このように、カテーテル装置７１０には、セプタム７２２を囲むまたは収納するハウジング７２６が含まれる。
【００４５】
図４Ａに示される実施形態と同様に、セプタム７２２には、セプタム７２２のその他の部分を取り囲むセプタム収納部７２４が含まれる。セプタム収納部７２４は、ハウジング７２６と係合し、適切な位置にセプタム７２２を留めるように設計される。セプタム収納部７２４はまた、外側のハウジング７２６とも係合する。
【００４６】
当技術分野で周知のように、針１４は、セプタム７２２を通り抜けられる。セプタム７２２にはまた、受入れ部７３４が含まれる。しかしながら、前述の実施形態とは異なり、受入れ部７３４はセプタム７２２の開口部ではない。むしろ、図４Ａと併せて上記の実施形態と同様に、受入れ部７３４は、セプタム収納部７２４の一部７３４ａである。さらに具体的には、受入れ部７３４は、セプタム７２２に向かって内側に拡がる一部７３４ａであり、針シールド７２８、すなわち先端７３８の一部と係合するまたは接するように設計される。
【００４７】
受入れ部７３４及び針シールド７２８の間の係合が、ここで説明される。具体的に言えば、針シールド７２８には、セプタム７２２の中心から離れて外側に拡がる先端７３８が含まれる。この外側への拡がりは、先端７３８が受入れ部７３４に接することを意味する。当該接触は、針シールド７２８の動きを妨げ、針シールド７２８を適切な位置に留めておく。
【００４８】
注目すべきはまた、図７Ａに示される針シールド７２８が前の実施形態に示されたものと異なることである。上に示される実施形態とは異なり、障壁７５６、すなわち針シールド７２８内に針先１８を閉じ込めておくように機能する突起または特徴は、先端７３８及び受入れ部７３４の間の相互連結の末端に位置するように、針シールド７２８は設計される。当業者であれば、多様な他の種類の針シールド及び針シールド装置が針シールド７２８として使用されることを理解できるであろう。
【００４９】
図７Ｂに関しては、針１４が針シールド７２８に引き抜かれた後の、すなわち針先１８が障壁７５６の後に置かれた後のカテーテル装置７１０が説明される。しかしながら、図７Ｂ示されるように、針１４は、先端７３８に対して外側に押す位置に未だある。したがって、先端７３８に対して押す外側へのこの力は、先端を受入れ部７３４に係合させ、それによって針シールド７２８がセプタム収納部７２４から分離するのを防ぐ。
【００５０】
図7Ｃに関しては、針１４が先端７３８を通り引き抜かれた後のカテーテル装置７１０が説明される。したがって、針１４がもはや先端７３８で外側に押さないため、針シールド７２８及び先端７３８は受入れ部７３４を摺動するように(上記のように)先端７３８は収縮する。
【００５１】
図７Ｄに関しては、先端７３８が受入れ部７３４を摺動した後のカテーテル装置７１０が説明される。具体的に言えば、いったん当該移動が起こると、針シールド７２８を収納部７２６に連結する十分な力はもはやない。したがって、臨床医が針１４を適切に廃棄し、カテーテル装置７１０を使用することができるように、針シールド７２８はこのように除去される。
【００５２】
本発明は、本明細書に広義に説明し、以下の特許請求の範囲に記載するようなその構造、方法または他の基本的な特徴を逸脱することなく、他の特定の形態で具現化し得る。記載されている実施形態は、あらゆる点で例示に過ぎず制限するものではないとみなすべきである。したがって、本発明の範囲は、上記の説明によりむしろ添付の特許請求の範囲により示される。特許請求の範囲と均等の意味及び範囲内でのすべての変更は、特許請求の範囲内に含まれるものとする。
【図面の簡単な説明】
【００５３】
【図１Ａ】針がセプタムを通り抜ける本発明によるカテーテル装置の断面図である。
【図１Ｂ】針がセプタムから引き抜かれた図１Ａのカテーテル装置の断面図である。
【図１Ｃ】針シールドがセプタムから分離された図１Ａのカテーテル装置の断面図である。
【図２】針がセプタムを通り抜ける本発明のカテーテル装置の別の実施形態の断面図である。
【図３】針がセプタムを通り抜ける本発明のカテーテル装置の別の実施形態の断面図である。
【図４Ａ】針がセプタムを通り抜ける本発明によるカテーテル装置の断面図である。
【図４Ｂ】針がセプタムから引き抜かれた図４Ａのカテーテル装置の断面図である。
【図４Ｃ】針シールドがセプタムから分離された図４Ａのカテーテル装置の断面図である。
【図５Ａ】針がセプタムを通り抜ける本発明によるカテーテル装置の断面図である。
【図５Ｂ】針シールドがセプタムから分離された図５Ａのカテーテル装置の断面図である。
【図６Ａ】針がセプタムを通り抜ける本発明によるカテーテル装置の断面図である。
【図６Ｂ】針がセプタムから引き抜かれた図６Ａのカテーテル装置の断面図である。
【図７Ａ】針がセプタムを通り抜ける本発明によるカテーテル装置の断面図である。
【図７Ｂ】針がセプタムから引き抜かれた図７Ａのカテーテル装置の断面図である。
【図７Ｃ】針シールドがセプタムの収納部から外れるように、針が十分に引き抜かれる図７Ａのカテーテル装置の断面図である。
【図７Ｄ】針シールドがセプタムから分離された図７Ａのカテーテル装置の断面図である。
【図１Ａ】
0005137383.tif 000002
【図１Ｂ】
0005137383.tif 000003
【図１Ｃ】
0005137383.tif 000004
【図２】
0005137383.tif 000005
【図３】
0005137383.tif 000006
【図４Ａ】
0005137383.tif 000007
【図４Ｂ】
0005137383.tif 000008
【図４Ｃ】
0005137383.tif 000009
【図５Ａ】
0005137383.tif 000010
【図５Ｂ】
0005137383.tif 000011
【図６Ａ】
0005137383.tif 000012
【図６Ｂ】
0005137383.tif 000013
【図７Ａ】
0005137383.tif 000014
【図７Ｂ】
0005137383.tif 000015
【図７Ｃ】
0005137383.tif 000016
【図７Ｄ】
0005137383.tif 000017